(57)【要約】【課題】焼肉をしながら、その他の食物を蒸し焼きできる、あるいは、温かい飲料の温度を維持できる、あるいは、使用者が暖を取れる熱源有効利用装置を提供する。【解決手段】熱源有効利用装置１は、その中央に設けられる容器１３と、該装置１の内部及び該容器１３の外側に設けられる砂部２と、該容器１３と連通し且つ該砂部２に覆われた熱気ダクト１４と、該容器１３の下方に設けられ、炭火の塵灰を収集するための収集部１５と、該収集部１５を中に収めることができる収集空間１６とを備える。【選択図】図１
2005192770.tif 000002
【特許請求の範囲】
【請求項１】
中央に設置される容器と、内部及び該容器の外部に設置される砂部と、該容器と連通し且つ該砂部に覆われた熱気ダクトとを備えることを特徴とする熱源有効利用装置。
【請求項２】
上記容器の内部に複数の凸部が設置されることを特徴とする請求項１に記載の熱源有効利用装置。
【請求項３】
上記容器の上方に上蓋を設置し、該上蓋の上面につまみを設けることを特徴とする請求項１に記載の熱源有効利用装置。
【請求項４】
上記容器の内部に防塵フィルタを設けることを特徴とする請求項１に記載の熱源有効利用装置。
【請求項５】
上記容器の下方に収集部を内部に収めることができる収集空間を設け、且つ該収集空間の下方に収納部を設けることを特徴とする請求項１に記載の熱源有効利用装置。
【請求項６】
上記砂部の底部付近と該熱源有効利用装置との接触部に複数の排水口及び複数の排砂口を設けることを特徴とする請求項１に記載の熱源有効利用装置。
【請求項７】
上記熱気ダクトの上面と連通する複数の中空台座を設けることを特徴とする請求項１に記載の熱源有効利用装置。
【請求項８】
上記容器の中に取出式容器を備えることを特徴とする請求項１に記載の熱源有効利用装置。
【請求項９】
上記砂部において所定の部分に砕石部を設置することを特徴とする請求項１に記載の熱源有効利用装置。
【請求項１０】
上記熱気ダクトの周囲に電熱管を設けることを特徴とする請求項１に記載の熱源有効利用装置。
【発明の詳細な説明】
【技術分野】
【０００１】
本発明は熱源有効利用装置に関し、特に同時に焼き物、保温、蒸し焼き及び暖房効果を行うことができる熱源有効利用装置に関する。
【背景技術】
【０００２】
一般の人々のバーベキューに対する決まったイメージは、数個の石又はレンガを積み立てて土台にし、その中に炭を入れて火を起こし、最後にバーベキューの網を土台の上に載せ、これにより肉又は食物を焼き、食用することができるというものである。しかし、この種のバーベキュー方法は、最も古く原始的な方法であり、且つこの方法によって焼かれた食物は、火力が制御できないため、焦げてしまうことがある。バーベキューの時には、私たちは通常焼きあがった食物及び生の食物を２つの皿に分けておくが、バーベキュー用のテーブルや椅子が土台から少し離れているため、焼く時に食物を取ったり、置いたりすることが非常に不便である。
【０００３】
また、現在、一般に広まっている焼肉店は、食べ方が比較的珍しく且つ美味であるため、消費者に大変好まれているが、度々このような焼肉店で食事をした場合、価格が割安でないため、経済面で負担となる。
【０００４】
また、市場では現在、焼肉用テーブルがある。図１１は、従来の焼肉用テーブルの断面図である。
【０００５】
図に示すように、該焼肉用テーブル７の中央部分は、円形のコンロ穴を形成し、中にコンロ７３を備える断熱鍋７２をその中に設置し、且つ数本のテーブルの足７５によって地面に接触し、焼肉用テーブル７を支える。且つ該断熱鍋７２の上方には蓋７１が設けられ、風による食物の汚染を防止することができる。該コンロ７３の上には焼網７４が設置され、食物を置いて焼くことができる。この設計によって、使用者は焼肉をしやすく、焼肉店で食事をする必要もなくなっただけでなく、その断熱鍋の設計により、使用者が火傷をすることを避けることができ、非常に実用的である。しかし、この構造には下記の欠点が含まれる。
【発明の開示】
【発明が解決しようとする課題】
【０００６】
（欠点１）焼肉の熱源が再利用できない。断熱鍋の設計により、使用者が火傷をする可能性を避けることはできるが、放散された熱エネルギーをその他の用途として利用することができない。例えば、焼肉をしながら、同時に焼きいも又はその他の食物を焼いたり、又は温かい飲物を保温するには、別に熱源が必要であり、資源の無駄を招く。
【０００７】
（欠点２）焼肉用テーブルの用途が少ない。該焼肉用テーブルの設計は、焼肉、スープ作りの効果しか発揮できず、大型の食物を焼くこと（例えば、鳥や鴨を焼くこと等）については、使用できない。
【０００８】
（欠点３）焼肉用テーブルは自由に運べない。使用者が、場所を変えたり又は角度を変えて使用したい場合、全ての焼肉用テーブル上の用品を片付けてから位置を変えなければならず、そうせずに位置を変える場合、不注意により焼肉用テーブル上の用品が地面に滑り落ちてしまうことが起こりやすく、実に不便である。
【０００９】
従来の焼肉用テーブルの欠点に鑑み、本発明は、焼き物、保温、蒸し焼き及び暖房を同時に行え、焼肉をしながら、その他の食物を蒸し焼きできる、あるいは、焼肉をしながら、温かい飲料の温度を維持できる、あるいは、焼肉をしながら、使用者が暖を取れる熱源有効利用装置を提供することを目的とする。さらに、本発明は、焼肉をしながら、位置を移動することができる熱源有効利用装置を提供することを目的とする。
【課題を解決するための手段】
【００１０】
上述の目的を達成するために、本発明の熱源有効利用装置は、少なくとも、該装置の中央に設けられる容器と、該装置の内側及び該容器の外側に設けられる砂部と、該容器と連通し且つ該砂部に覆われた熱気ダクトと、該容器の下方に設けられ、炭火の塵灰を収集するための収集部と、該収集部を中に収めることができる収集空間と、該収集空間の下方に位置する収納部と、該装置の底部に設けられ、該装置を自由に移動させることができる数個のキャスターとを含む。
【発明の効果】
【００１１】
砂部が該熱気ダクトを覆っていることにより、熱気ダクト内の熱量の放散を避けて高温を維持することで、熱源を有効利用し、焼き物、保温、蒸し焼き及び暖房を同時に行える効果を達成される。
【実施例１】
【００１２】
本発明の目的、特徴及び効果を、下記の具体的な実施例並びに付属の図面によって、本発明を詳しく説明する。図１は、本発明の熱源有効利用装置の１実施例の構造を示す分解斜視図である。
【００１３】
図に示す通り、本発明の熱源有効利用装置１は、該装置１の中央に設けられた容器１３と、該装置１の内側及び該容器１３の外側に設けられた砂部２と、該容器１３に連通し且つ砂部２により覆われた熱気ダクト１４とを備える。該容器１３は、内部に支持板１２と上方に上蓋１１を備え、該上蓋１１の上面につまみ１１１が設けられている。該容器１３の底部付近と該装置１との接触部に、少なくとも一つの排水口２１及び少なくとも一つの排砂口２２が設けることにより、該装置１が室外に置かれて、該装置１の上部に落ちた雨水を該排水口２１によって排出して砂の乾燥を保ち、砂が汚れて交換が必要な場合は、該排砂口２２を開け汚れた砂を自然に排出し、新しいものと交換できる。該熱気ダクト１４の上面に少なくとも一つの中空台座１４１が連通して設けられている。収集部１５は、後方側面に通風口１５１を備え、該通風口１５１は吸入風量を調整することで炭火の火力を制御できる引戸１５２を備え、さらに内部に鉄網１５３を備えている。該容器１３の下方に該収集部１５を収めることができる収集空間１６設けられている。該収集空間１６の下方にバーベキュー用具等を収納できる収納部１７が備えられ、該装置１の底部に該装置１を自由に移動させることができる複数のキャスター１８が設けられている。また、該砂部２は、火災時に消火用砂として使用でき、消火効果を提供する。
【００１４】
図２及び図３は、それぞれ本実施例の熱源有効利用装置１の分解斜視図及び組立斜視図である。さらに、図４は、本実施例の熱源有効利用装置１の断面図である。
【００１５】
図に示すように、該熱源有効利用装置1は、該装置1の中央に設置された該容器１３と、該装置１の内側及び該容器１３の外側に設置された該砂部２と、該容器１３と連接し並びに該砂部２によって覆われ且つ上面が該中空台座１４１に連通する該熱気ダクト１４と、該容器１３の下方に設けられた該収集空間１６の中に収容される該収集部１５と、該収集空間１６の下方に位置し、バーベキュー用具等を収納できる該収納部１７と、該熱源有効利用装置１の底部に設けられ、該装置１を自由に移動させることができる複数のキャスター１８とをそなえる。該容器１３は、内部に第１凸部１３１、第２凸部１３２、第３凸部１３３、第４凸部１３４及び第５凸部１３５が設けられ、該支持板１２が該第２凸部１３２の上に置かれている。該容器１３の底部付近と該装置１との接触部に複数の排水口２１及び複数の排砂口２２を備えており、室外に置く場合、該装置１の上部に落ちた雨水を該排水口２１を通して排出し、乾燥した状態を保つことができ、また砂が汚れて交換が必要な場合には、該排砂口２２を開けて、砂を自然に排出させ、新しい砂と交換することができる。
【００１６】
また、支持板１２の上方には、ガスコンロ３が置かれ、且つガスコンロ３の上方には、鍋３１が設置され、これにより、本実施例の熱源有効利用装置１は、スープを煮る機能を備えることができる。上述の鍋３１を茶器（急須等）に換えた場合、本発明の熱源有効利用装置１はお茶を点てる機能を備えることができる。
【実施例２】
【００１７】
図５は、本発明の熱源有効利用装置１における別の実施例の断面図を示す。図に示すように、該熱源有効利用装置1は、該装置1の中央に設置された容器１３と、該装置１の内部及び該容器１３の外部に設置された該砂部２と、該容器１３と連接し並びに該砂部２によって覆われ該熱気ダクト１４と、該容器１３の下方に設けられた該収集空間１６の中に収容され、炭火４１の塵灰を収集するための該収集部１５と、該収集空間１６の下方に位置し、バーベキュー用具等を収納できる収納部１７と、該熱源有効利用装置１の底部に設けられ、該装置１を自由に移動させることができる複数のキャスター１８とを備える。
【００１８】
該容器１３は、内部に第１凸部１３１、第２凸部１３２、第３凸部１３３、第４凸部１３４及び第５凸部１３５が設けられ、支持板１２が該第４凸部１３４の上に置かれ、且つ防塵フィルタ１３６が該第２凸部１３２の上に置かれている。該容器１３の底部付近と該装置１との接触部に複数の排水口２１及び複数の排砂口２２を備えており、室外に置く場合、該装置１の上部に落ちた雨水を該排水口２１を通して排出し、乾燥した状態を保つことができ、また砂が汚れて交換が必要な場合には、該排砂口２２を開けて、砂を自然に排出させ、新しい砂と交換することができる。該熱気ダクト１４は、該砂部２によって覆われていることにより、熱量の放散を防いで高温を維持することができ、且つ上面が該中空台座１４１に連通し、且つ該中空台座１４１上に、それぞれコップ１４２が置かれている。
【００１９】
該支持板１２の上面には、該炭火４１が置かれ、且つ該炭火４１の上方で食物４を焼くことで、本発明の熱源有効利用装置１は、バーベキューの機能を提供することができる。且つ該防塵フィルタ１３６により、該炭火４１の塵灰が舞い上がり該食物４を汚染することを防ぐことができる。また、該炭火４１の熱気は、該熱気ダクト１４を通じて該中空台座１４１に伝えられ、その上にあるコップ１４１内の温かい飲物を保温することができる。さらに、該収集空間１６の高さは該収集部１５より高いため、該収集部１５を該収集空間１６の中に入れた場合、該収集部１５の上面と該容器１３の底部間に、隙間１６１が形成され、該炭火４１の一部の熱気を該隙間１６１を通して放散し、冷え込んだ時又は冬などに、使用者が暖を取ることができる。これにより、本発明における熱源有効利用装置１は、バーベキューを行えると同時に、温かい飲料の保温及び使用者が暖を取れる効果を達成することができる。
【実施例３】
【００２０】
図６は、本発明の熱源有効利用装置１における別の実施例の断面図を示す。図に示すように、該熱源有効利用装置1は、該装置1の中央に設置された該容器１３と、該装置１の内部及び該容器１３の外部に設置された該砂部２と、該容器１３と連接し並びに該砂部２によって覆われた該熱気ダクト１４と、該容器１３の下方に設けられた該収集空間１６の中に収容され、該炭火４１の塵灰を収集するための該収集部１５と、該収集空間１６の下方に位置し、バーベキュー用具等を収納できる該収納部１７と、該熱源有効利用装置１の底部に設けられ、該装置１を自由に移動させることができる複数のキャスター１８とを備える。
【００２１】
該容器１３は、内部に第１凸部１３１、第２凸部１３２、第３凸部１３３、第４凸部１３４及び第５凸部１３５が設けられ、且つ上蓋１１が該凸部１３１の上に反対向きに置かれ、及び支持板１２が該第４凸部１３４の上に置かれる。該容器１３の底部付近と該装置１との接触部に複数の該排水口２１及び複数の該排砂口２２を備えており、室外に置く場合、該装置１の上部に落ちた雨水を該排水口２１を通して排出し、乾燥した状態を保つことができ、また砂が汚れて交換が必要な場合に、該排砂口２２を開けて、砂を自然に排出させ、新しい砂と交換することができる。該熱気ダクト１４は、該砂部２によって覆われていることにより、熱量の放散を防いで高温を維持することができ、且つ上面が該中空台座１４１に連通し、且つ該中空台座１４１上に、それぞれコップ１４２を置くことができる。
【００２２】
炭火４１を該支持板１２の上面に置くことで、焼くための熱源が提供され、且つ該上蓋１１の上において別の食物（例えば、魚、肉、野菜等）５１が加熱されることで、本発明の熱源有効利用装置１は、魚や野菜を焼く等の効果を提供する。また、該炭火４１の熱気は、該熱気ダクト１４を通じて該中空台座１４１に伝えられ、その上にあるコップ１４２内の温かい飲物を保温することができる。さらに、該収集空間１６の高さは該収集部１５より高いため、該収集部１５を該収集タンク１６の中に入れた場合、収集部１５の上面と容器１３の底部間に、隙間１６１が形成され、炭火４１の一部の熱気を該隙間１６１を通して放散し、冷え込んだ時又は冬などに、使用者が暖を取ることができる。これにより、本発明における熱源有効利用装置１は、加熱調理を行えると同時に、温かい飲料の保温及び使用者が暖を取れる効果を達成することができる。
【実施例４】
【００２３】
図７は、本発明の熱源有効利用装置における別の実施例の断面図を示す。図に示すように、該熱源有効利用装置1は、該装置1の中央に設置された容器１３と、該装置１の内部及び該容器１３の外部に設置された砂部２と、該容器１３と連接し並びに該砂部２によって覆われた熱気ダクト１４と、該容器１３の下方に設けられた収集空間１６の中に設置され、炭火４１の塵灰を収集するための収集部１５と、該収集空間１６の下方に位置し、バーベキュー用具等を収納できる収納部１７と、該熱源有効利用装置１の底部に設けられ、該装置１を自由に移動させることができる若干のキャスター１８とを備える。
【００２４】
該容器１３は、内部に第１凸部１３１、第２凸部１３２、第３凸部１３３、第４凸部１３４及び第５凸部１３５が設けられ、且つ上蓋１１が該凸部１３１の上に反対向きに置かれている。該砂部２には、該容器の底部付近と該装置１との接触部に複数の排水口２１及び複数の排砂口２２が備えられており、室外に置く場合、上部に落ちた雨水を該排水口２１を通して排出し、乾燥した状態を保つことができ、また砂が汚れて交換が必要な場合に、該排砂口２２を開けて、砂を自然に排出させ、新しい砂と交換することができる。該熱気ダクト１４は、該砂部２によって覆われていることにより、熱量の放散を防いで高温を維持することができ、且つその上面が中空台座１４１に連通し、且つ該中空台座１４１上に、それぞれコップ１４２を置くことができる。
【００２５】
該収集部１５内に凸部１５４を設置し、鉄網１５３を該凸部１５４で支え、且つ炭火４１を該鉄網１５３の上面に置くことで、焼くための熱源を提供する。該上蓋１１のつまみ１１１に食物（例えば、鳥、鴨等）５を吊り、焼くことができるようにし、且つ防塵フィルタ１３６を該第５凸部１３５の上に置き、炭火４１の塵灰が巻き上がり食物５を汚染することを避ける。同時に、該上蓋１１の上において別の食物（例えば、魚、肉、野菜等）５１を加熱し、さらに同時に別の食物（例えば、トウモロコシ、サツマイモ、ピーナッツ、海鮮等）６をアルミホイルでくるんだ後、該砂部２の中に入れることができる。砂部２は伝熱性が高いため、炭火４１の熱量により砂部２が加熱され、さらに食物６を蒸し焼きし、食物６の本来の味を保ち、焦がさないようにできる。また、該炭火４１の熱気は、熱気ダクト１４を通じて中空台座１４１に伝えられ、その上にあるコップ１４２内の温かい飲物を保温することができる。さらに、該収集空間１６の高さは該収集部１５より高いため、収集部１５を該収集空間１６の中に入れた場合、収集部１５の上面と容器１３の底部間に、隙間１６１が形成され、炭火４１の一部の熱気を該隙間１６１を通して放散し、冷え込んだ時又は冬などに、使用者が暖を取ることができる。これにより、本発明における熱源有効利用装置１は、焼くことができると同時に、温かい飲料の保温、食物の蒸し焼き及び使用者が暖を取れる効果を達成することができる。
【実施例５】
【００２６】
図８は、本発明の熱源有効利用装置１における別の構造を示す斜視図を示す。図に示す通り、該熱源有効利用装置１は、該装置１の中央に設けられる容器１３と、該装置１の内側及び該容器１３の外部に設けられ、上方に蓋２３を置くことができる砂部２と、該容器１３に連通し並びに砂部２により覆われ、且つ上面が複数の中空台座１４１に連通する熱気ダクト（図示せず）と、該容器１３の下方に設けられ、内部に鉄網１５３を備える収集部１５と、該容器１３の下方に設けられ、該収集部１５を収めることができる収集空間１６と、該収集空間１６の下方に位置し、バーベキュー用具等を収納できる収納部１７と、該装置１の底部に設けられ、該装置１を自由に移動させることができる複数のキャスター１８とを備える。該容器１３の底部付近と該装置１との接触部に複数の排水口２１及び複数の排砂口２２が備えられ、室外に置かれる場合、該装置１の上部に落ちた雨水を該排水口２１によって排出し、砂の乾燥を保ち、汚れた砂の交換が必要な場合は、該排砂口２２を開けて砂を自然に排出し、新しいものと交換できる。該蓋２３を設けることにより、該熱源有効利用装置１の上面により多くの物品２４を置き、使用者が使用することができる面積を増加することができる。
【実施例６】
【００２７】
図９は本発明の熱源有効利用装置における別の実施例の構造を示す分解斜視図を示し、図１０は本実施例の断面図を示す。図に示すように、該熱源有効利用装置１は、該装置１の中央に設置された容器１３と、該容器１３の内部に設置でき、内部に第１凸部１３７１、第２凸部１３７２、第３凸部１３７３、第４凸部１３７４を備え、下部に風量を制御するための引戸１３９を有する通風口１３８を備える取出式容器１３７と、該装置１の内部及び該容器１３の外部とに設置され、且つ所定部分に砕石部２５を有する砂部２と、該容器１３と連接し並びに該砂部２によって覆われた熱気ダクト１４と、該容器１３の下方に設けられた収集空間１６の中に設置され、内部に鉄網１５３を備え、該取出式容器１３７を支えることができる収集部１５と、該収集タンク１６の下方に位置し、バーベキュー用具等を収納できる収納部１７と、該熱源有効利用装置１の底部に設けられ、該装置１を自由に移動させることができる複数のキャスター１８とを備える。
【００２８】
該容器１３の内部には、第１凸部１３１、第２凸部１３２、第３凸部１３３、第４凸部１３４及び第５凸部１３５が設けられている。該容器１３の底部付近と該装置１の接触部に複数の排水口２１及び複数の排砂口２２を備えており、室外に置く場合、該装置１の上部に落ちた雨水を該排水口２１を通して排出し、乾燥した状態を保つことができ、また砂が汚れて交換が必要な場合に、該排砂口２２を開けて、砂を自然に排出させ、新しい砂と交換することができる。該熱気ダクト１４が該砂部２によって覆われていることにより、熱量の放散を防いで高温を維持することができ、該熱気ダクト１４の上面が中空台座１４１に連通し、該中空台座１４１上にそれぞれコップ１４２を置くことができる。さらに該熱気ダクト１４の周囲に電熱管２６が設けられ、該電熱管２６にコンセントプラグ２６１を接続し、電源につなぐことで加熱機能を提供することができる。
【００２９】
本発明の熱源有効利用装置１を室内で使用する場合、火をつけた時に室内が煙で充満することが懸念される。そのため、まず該取出式容器１３７を該容器１３から取り出して室外に置き、その第４凸部１３７４上に支持板１２を置き、該支持板１２上で炭火４１の火を起こす。火がついて煙が少なくなった後、該取出式容器１３７を該熱源有効利用装置１の該容器１３の中に戻し、且つ上蓋１１を該取出式容器１３７内の第１凸部１３７１の上に反対向きに置き、食物５１を炒める機能を提供する。また、該砂部２に設けられた該砕石部２５は、石の伝熱が速く且つ熱気が放散しやすい特性により、小さ目又は早く火が通る食物、例えば野菜、小さい肉等を蒸し焼きしすぎることなく蒸し焼きにすることができる。また、該電熱管２６を利用して、該砂部２及び該熱気ダクト１４の温度を急速に高めて、待ち時間を減少することができる。
【００３０】
以上に述べられるのは、本発明の比較的わかりやすい実施例であるだけで、本発明の特許申請の範囲を限定するものではない。全てのその他の本発明に掲げられる精神を離脱しないもとで完成された同等の効果を有する変更又は修飾は、全て下記の特許申請の範囲に含まれるものとする。
【図面の簡単な説明】
【００３１】
【図１】熱源有効利用装置の分解斜視図である。（実施例１）
【図２】熱源有効利用装置の分解斜視図である。（実施例１）
【図３】熱源有効利用装置の組立斜視図である。（実施例１）
【図４】熱源有効利用装置の断面図である。（実施例１）
【図５】熱源有効利用装置の断面図である。（実施例２）
【図６】熱源有効利用装置の断面図である。（実施例３）
【図７】熱源有効利用装置の断面図である。（実施例４）
【図８】熱源有効利用装置の斜視図である。（実施例５）
【図９】熱源有効利用装置の分解斜視図である。（実施例６）
【図１０】熱源有効利用装置の断面図である。（実施例６）
【図１１】従来の焼肉用テーブルの断面図である。
【符号の説明】
【００３２】
１          熱源有効利用装置
２          砂部
３          ガスコンロ
１１        上蓋
１２        支持板
１３        容器
１４        熱気ダクト
１５        収集部
１６        収集空間
１７        収納部
１８        キャスター
２１        排水口
２２        排砂口
２５        砕石部
２６        電熱管
４１        炭火
１３７      取出式容器
１４１      中空台座
１４２      コップ
【図１】
2005192770.tif 000003
【図２】
2005192770.tif 000004
【図３】
2005192770.tif 000005
【図４】
2005192770.tif 000006
【図５】
2005192770.tif 000007
【図６】
2005192770.tif 000008
【図７】
2005192770.tif 000009
【図８】
2005192770.tif 000010
【図９】
2005192770.tif 000011
【図１０】
2005192770.tif 000012
【図１１】
2005192770.tif 000013